(57)【特許請求の範囲】
【請求項１】
開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、
前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、
前記戸当りを扉枠の開口部側壁に脱着自在に設ける戸当り脱着機構を有し、
この戸当り脱着機構は、前記戸体を通常時の開閉方向と反対方向への開閉動作により前記扉枠の開口部側壁から戸当りを取り外し可能に構成したことを特徴とする開閉装置。
【請求項２】
前記戸当り着脱機構は、扉枠の開口部側壁と戸当りとの対向部の一方に設けられた磁石と、その他方に設けられた磁性金属片とから構成され、前記戸当りを扉枠の開口部側壁に着脱可能に取り付けたことを特徴とする請求項１記載の開閉装置。
【請求項３】
前記戸当り着脱機構は、扉枠の開口部側壁と戸当りとの対向部の一方に設けられた弾性材料の係止具と、その他方に設けられた受け具とから構成され、
前記係止具の一部を押圧変形させることで係止具と受け具を取り外すことを可能としたことを特徴とする請求項１記載の開閉装置。
【請求項４】
開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、
前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、
前記戸体は、戸先側端部および戸尻側端部に弾性変形可能な軟質材を備え、
前記戸体を通常時の開閉方向と反対方向への開閉動作により、前記軟質材を弾性変形させて前記扉枠開口部を開閉可能としたことを特徴とする開閉装置。
【請求項５】
開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、
前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、
前記戸当りは扉枠で形成される開口部の両側壁に取り付けられ、双方の戸当りを軟質材で弾性変形可能に構成し、
前記戸体を通常時の開閉方向とは反対方向への開閉動作により、前記戸当りの軟質材を弾性変形させて前記扉枠開口部を開閉可能としたことを特徴とする開閉装置。
【請求項６】
開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、
前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、
前記戸体は戸先側端部および戸尻側端部のいずれか一方に弾性変形可能な軟質材を設け、この軟質材を設けた側と反対側の前記扉枠の開口部側壁に前記戸体と当接可能な戸当りを軟質材で弾性変形可能に形成し、
前記戸体を通常時の開閉方向と反対方向への開閉動作により、前記戸体および戸当りの軟質材が弾性変形して前記扉枠開口部を開閉可能に構成したことを特徴とする開閉装置。
【請求項７】
開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、
前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、
前記戸体の戸先側で当接する戸当りを軟質材で弾性変形可能に形成する一方、戸体の戸尻側に当接する戸当りを室外側に露出させて設け、
前記戸体を通常時の開閉方向と反対方向への開閉動作により、前記戸体戸先側かつ室内側の戸当りの軟質材が弾性変形し、前記扉枠開口部を開閉可能に構成したことを特徴とする開閉装置。
【請求項８】
前記戸体支持手段は、前記スイング支持機構のスイングアームをスライド支持機構のガイドレールに対して非干渉的に位置させたことを特徴とする請求項１から７のいずれかに記載の開閉装置。
【請求項９】
前記戸体支持手段は前記扉枠に取り付けられるスイングアームを備え、上記スイングアームの扉枠側取付位置を、前記戸体の閉状態における厚さ方向の中心位置または略中心位置に設定するとともに、上記スイングアームの戸体側取付位置を前記戸体の厚さ方向の中心位置または略中心位置に設定したことを特徴とする請求項８記載のスライド・スイング式ドア装置。
【発明の詳細な説明】
【０００１】
【発明の属する技術分野】
本発明は、扉枠により形成される開口部を戸体で開閉する開閉装置に係り、特に扉体としての戸体を開口部幅方向にスライドさせつつ水平方向にスイング（回動）させて開閉する、いわゆるスライド・スイング式ドア装置に関する。
【０００２】
【従来の技術】
一般の住居用家屋やビルなどの建物や構造物において使用されるドア開閉の方式には種々の開閉装置がある。
【０００３】
ドア開閉方式を開閉動作の様式から分類すると、代表的には、スイング式、スライド式、折り畳み式、回転式、スライド・スイング式の開閉装置が知られている。これらのドア開閉方式はさらにそれぞれ手動方式、自動方式に分類される。これらのドア開閉方式には一長一短があり、用途に応じて使い分けられる。
【０００４】
スイング式は、戸体を成す１枚又は複数のパネル体をその一側端側の縦軸を中心に例えば９０°スイングさせる方式である。このスイング方式のドアは、比較的簡単な構造になるが、戸体が一つの縦軸を中心にスイングする構造であるため、その開閉方向に少なくとも１／４円分の空間を空けておく必要があり、この空間が無駄になることが多い。
【０００５】
また、スライド式は戸体を開口部の横幅方向にスライドさせる方式である。スライド方式のドアの場合、スイング方式のような無駄な空間は無くなるが、スライド移動される戸体自体を収納するスペースが必要で、この収納スペースを一般の住居用家屋では確保することは通常難しく、このスライド方式は住居用家屋では多用されていない。
【０００６】
さらに折り畳み式は、ドアを構成する複数の戸体を折り畳みながら横幅方向の一方に移動させる方式である（例えば、実開平３−７４７８４号公報の「折れ戸開閉装置」参照）。この折畳み方式のドアは、上述したスイング方式、スライド方式の中間に位置するもので、戸体の収納スペースを壁などの中に確保する必要はなく、また開閉移動する戸体が占有するスペースもドア出入り方向に出っ張らないので、一般家屋でも昨今多用される傾向にある。しかし、ドア開放時に複数の戸体が折り重なった状態で開口部の幅方向の一側に寄せられるため、人が通るための面積が減少してしまう。このため、狭い空間を有効に利用してなるべく大きい通過面積を確保したい、とする要請にはなかなか応えられない。
【０００７】
回転式は、例えば複数枚のガラスドアを互いに放射状に配列したドア構造体を回転させながら開閉させる方式である。この回転方式のドアは、その占有スペースが大きく、大型の建物には設置できるのが、一般家屋には不向きである。
【０００８】
スライド・スイング式は、１枚の戸体を開口部の幅方向にスライドさせながら水平方向にスイング（回動）させて開閉する方式である。このスライド・スイング式ドア装置は、戸体の開閉軌跡の特性から、開閉時に戸体が占有する空間領域がスイング式や回転式に比べて小さく、その戸体をスライド式ドアに比べて比較的コンパクトに収まる。さらには、ドア開時の有効開口幅が折り畳み式ドアに比べて大きいなど、各種の優位性を有している。
【０００９】
このスライド・スイング式ドア装置として、例えば特開昭５４−１１２５３６号公報および特開平９−１８４３５２号公報に開示されたものがある。
【００１０】
このうち、特開平９−１８４３５２号公報に記載されたスライド・スイング式ドア装置は、扉枠の一方の縦枠（側枠）の前面側に回転支柱を併設し、この回転支柱の上下に付設されたスイングアームに扉体である戸体を回転自在に装着し、扉閉鎖時に回転支柱やスイングアームを戸体とともに扉枠の全体幅内へ収納させるように構成したドア装置である。
【００１１】
また、特開昭５４−１１２５３６号公報に記載されたスライド・スイング式ドア装置は、扉である戸体の扉面から直角方向に突出する突出片を設け、この突出片を扉枠の一方の縦枠に回動自在に支持されたスイングアームに支持させる一方、前記戸体を上下対をなす扉案内体（スライダ）の案内具に摺動かつ回動自在に支持させたドア装置である。
【００１２】
さらに、従来のスライド・スイング式ドア装置として、特開昭６３−２３６８８４号公報、実公平６−１３９７９号公報、および特開平９−１４４４２１号公報に開示されたドア装置がある。
【００１３】
これらのスライド・スイング式ドア装置は、扉である戸体の開閉時に占有する空間領域がスイング式や回転式ドア装置に比べて小さく、また、スライド式ドア装置に比べて戸体をコンパクトに納めることができ、さらに、ドア開放時の有効開口幅が折り畳み式ドア装置に比べて大きく取れる等、他方式のドア装置に比べて種々の利点、優位性を備えている。
【００１４】
また、従来のスライド・スイング式ドア装置は、扉枠に戸体がスライド・スイング可能に支持されて開閉されるが、扉枠に対する戸体の支持構造から戸体の開閉方向は一方向に定められてしまい、逆方向に戸体を開閉させることができなかった。
【００１５】
従来のスライド・スイング式ドア装置において、例えば室内で人が倒れたり、動けなくなった場合、倒れた人の体が障害物となって扉が動かず、室外側から戸体（扉）を開けることができなくなる虞がある。
【００１６】
このような緊急な救出時の安全対策として特開平８−２５４０６７号公報に開示されたドア装置がある。しかし、このドア装置は、戸体をスライド自在に支持する走行具をガイドレールから分離させて移動可能とした戸体の支持構造を提供するもので、緊急救出時に戸体を開放させるための走行具の分離作業が必要となる。この走行具の分離作業は大変な手間隙がかかり、迅速かつワンタッチで戸体を開放させ得る戸体支持構造となっていない。
【００１７】
【発明が解決しようとする課題】
従来のスライド・スイング式ドア装置は、扉枠に仮に戸当りがなくてもスイングアームが扉枠やガイドレールと干渉するために、戸体を一方向にしか開閉させることができない。室内で人が倒れ、扉が室内側に開かない場合、室外側から救出するためには、その都度、扉である戸体を扉枠から外さなければならない。
【００１８】
扉枠から戸体を取り外すためには、扉枠の一部を建物から取り外したり、また、スイングアームと戸体の連結を外したり、走行具と戸体の連結を外して走行具をガイドレールから外さなければならない。このため、扉枠から戸体（扉）を簡単に取り外すことができず、スライド・スイング式ドア装置の戸体支持構造も複雑となっていた。
【００１９】
また、従来のスライド・スイング式ドア装置では、扉枠から戸体を取り外すことが困難で、場合によってはドア装置を破壊させなければならない、という問題があった。
【００２０】
本発明は、上述した事情を考慮してなされたもので、通常時は通常のドア開閉動作を行ない得るとともに、逆方向にもドア開閉を強制的に行ない得るようにし、緊急時や救出時にも好適な開閉装置を提供することを目的とする。
【００２１】
本発明に他の目的は、扉を手前と奥側の両方向に開閉でき、緊急救出時にも迅速かつスムーズに扉を開放させることができる開閉装置を提供するにある。
【００２２】
本発明の別の目的は、戸当りを着脱可能としてドア装置の取付施工時に戸当り取付場所の選択ができ、１枚のドア装置で扉の右開き、左開きがどちらにも兼用できる開閉装置を提供するにある。
【００２３】
【課題を解決するための手段】
本発明に係る開閉装置は、上述した課題を解決するために、請求項１に記載したように、開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、前記戸当りを扉枠の開口部側壁に脱着自在に設ける戸当り脱着機構を有し、この戸当り脱着機構は、前記戸体を通常時の開閉方向と反対方向への開閉動作により前記扉枠の開口部側壁から戸当りを取り外し可能に構成したものである。
【００２４】
また、上述した課題を解決するために、本発明に係る開閉装置は、請求項２に記載したように、前記戸当り着脱機構は、扉枠の開口部側壁と戸当りとの対向部の一方に設けられた磁石と、その他方に設けられた磁性金属片とから構成され、前記戸当りを扉枠の開口部側壁に着脱可能に取り付けたものであり、さらに、請求項３に記載したように、前記戸当り着脱機構は、扉枠の開口部側壁と戸当りとの対向部の一方に設けられた弾性材料の係止具と、その他方に設けられた受け具とから構成され、前記係止具の一部を押圧変形させることで係止具と受け具を取り外すことを可能としたものである。
【００２５】
一方、本発明に係る開閉装置は、上述した課題を解決するために、請求項４に記載したように、開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、前記戸体は、戸先側端部および戸尻側端部に弾性変形可能な軟質材を備え、前記戸体を通常時の開閉方向と反対方向への開閉動作により、前記軟質材を弾性変形させて前記扉枠開口部を開閉可能としたものである。
【００２６】
また、本発明に係る開閉装置は、上述した課題を解決するために、請求項５に記載したように、開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、前記戸当りは扉枠で形成される開口部の両側壁に取り付けられ、双方の戸当りを軟質材で弾性変形可能に構成し、前記戸体を通常時の開閉方向とは反対方向への開閉動作により、前記戸当りの軟質材を弾性変形させて前記扉枠開口部を開閉可能としたものである。
【００２７】
さらに、本発明に係る開閉装置は、上述した課題を解決するために、請求項６に記載したように、開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、前記戸体は戸先側端部および戸尻側端部のいずれか一方に弾性変形可能な軟質材を設け、この軟質材を設けた側と反対側の前記扉枠の開口部側壁に前記戸体と当接可能な戸当りを軟質材で弾性変形可能に形成し、前記戸体を通常時の開閉方向と反対方向への開閉動作により、前記戸体および戸当りの軟質材が弾性変形して前記扉枠開口部を開閉可能に構成したものである。
【００２８】
他方、本発明に係る開閉装置は、上述した課題を解決するために、請求項７に記載したように、開口部を形成する扉枠と、この扉枠の開口部を開閉させる戸体と、この戸体を上記開口部に開閉可能に支持する戸体支持手段と、前記開口部の側壁に設けられ、前記戸体を閉位置に保持させる戸当りとを有し、前記戸体支持手段は、戸体の上下対向位置をスイングアームでスイング可能に保持するスイング支持機構と、前記戸体をガイドレールに沿ってスライド・スイング可能に保持するスライド支持機構とを備えたスライド・スイング式ドア装置の開閉装置において、前記戸体の戸先側で当接する戸当りを軟質材で弾性変形可能に形成する一方、戸体の戸尻側に当接する戸当りを室外側に露出させて設け、前記戸体を通常時の開閉方向と反対方向への開閉動作により、前記戸体戸先側かつ室内側の戸当りの軟質材が弾性変形し、前記扉枠開口部を開閉可能に構成したものである。
【００２９】
また、本発明に係る開閉装置は、上述した課題を解決するために、請求項８に記載したように、前記戸体支持手段は、前記スイング支持機構のスイングアームをスライド支持機構のガイドレールに対して非干渉的に位置させたものであり、さらに、請求項９に記載したように、前記戸体支持手段は前記扉枠に取り付けられるスイングアームを備え、上記スイングアームの扉枠側取付位置を、前記戸体の閉状態における厚さ方向の中心位置または略中心位置に設定するとともに、上記スイングアームの戸体側取付位置を前記戸体の厚さ方向の中心位置または略中心位置に設定したものである。
【００３０】
【発明の実施の形態】
本発明に係る開閉装置の実施形態について添付図面を参照して説明する。
【００３１】
第１の実施形態
本発明に係る開閉装置の第１実施形態を図１〜図１４に示す。
【００３２】
この実施形態に示された開閉装置は、全体を符号１０で示すスライド・スイング式ドア装置である。このスライド・スイング式ドア装置１０は、建物に据え付けられる扉枠１１に戸体として扉を構成するドアパネル１２が開閉自在に取り付けられる。ドアパネル１２は手動にてスライド動作およびスイング（回動）動作せしめられて開閉されるようになっている。なお、以下の説明において、扉枠１１の開口部ＯＰの横幅方向を単に「幅方向」、開口部ＯＰの縦（上下）方向を単に「縦方向」と、開口部ＯＰの開口面に直交する方向を単に「出入方向」と称し、それぞれ図１に表したＸ，Ｙ，Ｚ軸の方向に対応される。
【００３３】
スライド・スイング式ドア装置１０は、図１〜図３に示すように扉枠１１に戸体としての１枚のドアパネル１２を戸体支持手段１４でスライドしつつスイング自在に支持する一方、上記扉枠１１は、左右対称形をなす門型形状の３方枠体構造に構成される。扉枠１１は、矩形の囲枠構造に構成してもよい。
【００３４】
扉枠１１は開口部ＯＰを矩形に画成しており、扉枠１１の縦枠１１ａ，１１ｂ（側枠）である開口部側壁に外部化粧戸当り１５および内部化粧戸当り１６が着脱自在に取り付けられる。また、扉枠１１の頂部（上部枠）１１ｃには上部ガイドレールとしての吊りレール１７が設けられ、扉枠１１の下部には下部ガイドレール１８が敷設される。
【００３５】
ドアパネル１２は、矩形形状で所定の厚さを有し、そのパネルサイズはドア設置位置の開口部ＯＰの矩形形状に適宜なマージンで収まるように形成される。ドアパネル１２の材料は木材、アルミなどの金属、樹脂、ガラスなど、適宜なものを使用できる。勿論、ドアパネルの中央にガラス面を入れることもできる。ドアパネル１２の一方の側端部である戸先寄りの所定高さに対応する表裏位置にドアノブ２０が取り付けられるとともに、そのノブ近傍に手動ロック機構２１が取り付けられる。なお、ドアパネル１２の幅方向の側端部は断面半円形状に形成したり、ドア閉時の仕切り性を向上させるために、ゴム、モヘアなどの封止材を一部突出させる状態で縦方向に沿って埋め込むこともできる。
【００３６】
また、ドアパネル２１を扉枠１１に支持する戸体支持手段１４は、ドアパネル１２をスライド・スイング自在に支持するスライド支持機構２３，２４と、ドアパネル１２をスイング自在に支持するスイング支持機構２５，２６とから構成される。スライド支持機構２３は上下に対をなして設けられる一方、スイング支持機構２４も上下に対をなして設けられる。スライド支持機構２３およびスイング支持機構２４とドアパネル１２の上方側にだけ設けてもよい。
【００３７】
対をなすスライド支持機構２３，２４のうち、上部スライド支持機構２３は、図３に示すように、上部ガイドレールである吊りレール１７内に走行自在に支持された走行体としてのガイドスライダ２８を有する。ガイドスライダ２８は吊りレール１７のガイド面上を転動する４輪あるいは６輪のガイドローラ２９を備えており、上記ガイドスライダ２８から下方に延びるサポート軸３０にドアパネル１２の頂部が軸廻りに回動自在に支持される。サポート軸３０は吊りレール１７の長手方向に延びるガイド溝３１を貫いて下方に延び、その下端部でドアパネル１２の戸先側、具体的には戸先側からパネル幅方向略１／３程度の位置を支持している。
【００３８】
上部スライド支持機構２３に対向する下部スライド支持機構２４は、下部ガイドレール１８の長手方向に延びるガイド溝３２を転動するガイドローラ３３を有し、このガイドローラ３３がドアパネル１２から下方に延びるガイド軸３４に回動自在に支持される。このガイド軸３４は上部スライド支持機構３３のサポート軸３０と共通軸線を有するように設けられる。ガイドローラ３３に代えてガイドピンを設け、このガイドピンをガイド溝３２内に案内させてもよい。
【００３９】
また、対をなすスイング支持機構２５，２６はドアパネル１２を、いわゆるオフセット・レス構造に支持するアーム蝶番として、支持アームであるスイングアーム３６を有する。対をなすスイング支持機構２５，２６のうち、上部スイング支持機構２５は、図３および図４に示すように、支持機構２３と共働してドアパネル１２の全荷重を支持しつつ、ドアパネル１２をスムーズにスイング自在に保持するようになっている。上部スイング支持機構２５は扉枠１１の一方の縦枠１１ｂに取り付けられる支持アームとしてのスイングアーム３６を有する。スイングアーム３６は横断面が縦長の矩形形状に形成され、ドアパネル１２の荷重を安定的にサポートするようになっている。
【００４０】
スイングアーム３６の基部は扉枠１１に、アーム自由端部は戸体であるドアパネル１２にそれぞれ取り付けられる。スイングアーム３６の扉枠１１側の取付位置は、戸体の閉状態における厚さ方向の中心位置または略中心位置に設定され、スイングアーム３６の戸体側取付位置は戸体厚さ方向の中心位置または略中心位置に設定され、戸体であるドアパネル１２は扉枠１１に、いわゆるオフセット・レス構造に取り付けられる。
【００４１】
スイングアーム３６はコ字状アーム支持具３７の垂直支軸３８廻りに回転自在に支持されて片持梁状に形成される。アーム支持具３７は基部が扉枠１１の一方の縦枠１１ｂにボルト等の固定手段で取り付けられる。アーム支持具３７は扉枠１１の縦枠１１ｂに埋設して固定してもよく、取付態様は種々考えられる。
【００４２】
一方、スイングアーム３６の自由端部にはＬ字状の取付ブラケット３９が固定され、この取付ブラケット３９に支持軸４０を介してドアパネル１２が回動自在に支持される。ドアパネル１２は戸尻側からパネル幅方向にパネル幅の略１／３位置で支持されるように、スイングアーム３６のアーム長が設定される。
【００４３】
上部スイング支持機構２５は上部スライド支持機構２３の吊りレール１７の下部に近接して設けられる。上部スイング支持機構２５のスイングアーム３６を回動自在に支持するアーム支持具３７はドアパネル１２の戸尻側で吊りレール１７の直下に近接して設けられる。アーム支持具３７の垂直支軸３８は、ドアパネル１２を開放したとき、最大の開口面積が得られるように扉枠１１の側壁（側枠）面からドアパネル１２の板厚の略１／２に相当する距離だけ少なくとも離れて設置される。また、アーム支持具３７を吊りレール１７の下方に設けることにより、スイングアーム３６が吊りレール１７と干渉することなく、回動させることができる。
【００４４】
上部スイング支持機構２５に対応する下部スイング支持機構２６は、図５に示すようにアーム蝶番を構成している。下部スイング支持機構２６は例えばアルミ製材料で形成されるＳ字状のスイングアーム４３を有する。このスイングアーム４３は板厚が例えば２〜３mm程度の薄い板状に形成され、アーム基部がドアパネル１２の戸尻側の床面に設けられた垂直支軸４４廻りに回動自在に支持される。この垂直支軸４４は床やガイドレールに直接取り付けるだけでなく、予め床面に埋設した取付金具に取り付けるようにしてもよい。
【００４５】
一方、スイングアーム４３の自由端側のアーム先端部はドアパネル１２の下端部から下方に突出する支軸４５廻りに回動自在に係合している。スイングアーム４３に支軸４５を回動自在とする代りに、支軸４５を固定し、この支軸４５をドアパネル１２の下端部に軸廻りに回動自在に支持させてもよい。スイングアーム４３に係合する支軸４５および垂直支軸４４は上部スイング支持機構の支持軸４０および垂直支軸３８とそれぞれ共通軸線を有するようにＸＺ面内で位置合せして設けられる。これにより、上下に対をなすスイング支持機構２５，２６でドアパネル１２をスムーズにスイングさせ得るようになっている。
【００４６】
また、下部スイング支持機構２６は構造的には、ドアパネル１２の下面と床面との間の僅かな隙間（例えば数mm程度）内に納まるように設置される。しかも、スイングアーム４３のアーム幅はドアパネル１２のパネル厚より狭く形成してあるので、ドア閉状態およびドア開状態では、スイングアーム４３がドアパネル１２の下に殆ど隠れてしまう構造となっている。
【００４７】
下部スイング支持機構２６はドアパネル１２のスライド・スイング動作を円滑に行なうために、上部スイング支持機構２５と協働する。下部スイング支持機構２６は、スイングアーム４３の垂直支軸４４廻りの回動によりドアパネル１２を図６に示すように案内する。下部スイング支持機構２６のスイングアーム４３は、ドア閉時に相当する実線Ａ1 で示す幅方向に平行な状態から、ドア開放が進むにつれて戸尻の垂直支軸４４を中心に開口部内側（例えば部屋内側）に回動（鎖線状態Ａ2 ，Ａ3 参照）する。さらにドアパネル１２を全部開放したときには、仮想線Ａ4 で示すように、略９０度回動して扉枠１１の壁面と殆ど平行の状態になる。この一連の回動（スイング）に伴って、ドアパネル１２はドア閉時の幅方向に平行な状態（点線Ｐ1 参照）から、仮想線Ｐ2 ，Ｐ3 の状態を経て、ドア開時の出入り方向に平行な状態（仮想線Ｐ4 参照）までスライド移動しつつスイング動作する。ドアパネル１２を閉めるときはこの反対向きのスライド・スイング動作になる。
【００４８】
また、ドアパネル１２の開閉時には、上下対をなすスイング支持機構２５，２６にスライド支持機構２３，２４が協働せしめられる。上下対をなすスライド支持機構２３，２４は、ドアパネル１２をドア開操作あるいはドア閉操作に伴って開口部ＯＰの幅方向に移動させると、図１および図３に示すように、走行体であるガイドスライダ２８は吊りレール１７内を自由にスライドし、下部スライド支持機構２４のガイドローラ３３はガイドレール３２内を転動しつつ自由にスライドする。このとき、ドアパネル１２はガイドスライダ２８あるいはガイドローラ３３に対してスイング自在に構成されている。
【００４９】
さらに、図１および図２に示すように、スライド・スイング式ドア装置１０には扉枠１１の各縦枠（側枠）１１ａ，１１ｂに化粧された細長い角棒状の戸当り１５，１６が着脱自在に取り付けられる。戸当り１５，１６は扉枠１１の左右の縦枠１１ａ，１１ｂにほぼ対向して設けられる。戸当り１５，１６は戸体としてのドアパネル１２をドア閉位置で片当りさせてドア閉位置に係止させるストッパ機能を有する。戸当り１５，１６は細長い棒状形状であればよく、その断面形状は角形状に限定されない。
【００５０】
戸当り１５，１６は軸方向に間隔をおいて複数の戸当り着脱機構４８で図７に示すように縦枠１１ａ，１１ｂに取り付けられる。戸当り着脱機構４８は図８および図９に示すように、磁石４９と磁性金属片５０とから構成される。磁石４９は戸当り１５，１６の裏面側に付設され、磁性金属片５０は扉枠１１の縦枠１１ａ，１１ｂに埋設される。磁石４９は扉枠１１の縦枠１１ａ，１１ｂに設けられる磁性金属片５０に対向して設けられる。磁性金属片５０を磁石４９に吸着させることで戸当り１５，１６を扉枠１１の縦枠１１ａ，１１ｂに脱着自在に取り付けられる。
【００５１】
１本の戸当り１５，１６は、少なくとも上部および下部に設けられた戸当り着脱機構４８で、好ましくは上部、下部および中間部の少なくとも３箇所に設けられた戸当り着脱機構４８で扉枠１１の縦枠１１ａ，１１ｂに固着され、取り付けられる。その際、戸当り着脱機構４８は戸当り１５，１６側に磁石４９を設ける代りに扉枠１１の縦枠１１ａ，１１ｂ側に磁石を設け、対向する磁性金属片を戸当り１５，１６側に設けるようにしてもよい。
【００５２】
一方、図１では、ドアパネル１２を手前側に開放させるように、戸当り１５，１６を扉枠１１の縦枠１１ａ，１１ｂに取り付けた例を示したが、ドアパネル１２を奥側に開放させるように戸当り１５，１６を縦枠１１ａ，１１ｂに取り付けることも容易にできる。
【００５３】
すなわち、このスライド・スイング式ドア装置１０には扉枠１１の縦枠１１ａ，１１ｂに、戸当り着脱機構４８の磁石４９あるいは磁性金属片５０が列状に２列埋設され、戸当り１５，１６をドア閉時のドアパネル１２に戸先表側および裏側のいずれか一方に片当り（当接）するように選択的に設けることができるようなっている。戸当り１５，１６をドアパネル１２の戸先裏側に当接させるように設けると、ドアパネルを手前側に開放させることができ、戸先表側に当接可能に設けるとドアパネル１２を奥側に開放させることができる。
【００５４】
扉枠１１の縦枠１１ａ，１１ｂには、ドアパネル１２の戸尻側も、戸当り着脱機構４８を構成する磁石４９あるいは磁性金属片５０が同様に列状に２列設けられる。
【００５５】
次に、スライド・スイング式ドア装置１０の開閉作用について説明する。
【００５６】
このスライド・スイング式ドア装置１０を、図１に示す手前側に通常開放させる構造とした場合には、扉枠１１の縦枠１１ａ，１１ｂに取り付けられる戸当り１５，１６がドア閉鎖時にドアパネル１２の戸先裏側と戸尻表側にそれぞれ当接可能となるように、戸当り１５，１６を縦枠１１ａ，１１ｂにセットする。戸当り１５，１６が取り付けられていない状態では、戸体を構成するドアパネル１２が手前と奥側の両方向に自由に開閉可能となっている。
【００５７】
スライド・スイング式ドア装置１０で、ドアパネル１２を手前側に開放させる場合には、ドアノブ２０を操作してドアパネル１２を手前側に引くと、戸体支持手段１４により支持されているドアパネル１２はスライド支持機構２３，２４とスイング支持機構２５，２６の協働作用により扉枠１１の開口部ＯＰの幅方向にスライドしつつスイング（回動）させて開放される。
【００５８】
ドアパネル１２を手前側に引くと、スライド・スイング式ドア装置１０は、図１０および図１１に示すように、スライド・スイング動作せしめられてドアが開放される。
【００５９】
ドアパネル１２が図１０に実線で示されたドア閉状態からノブ操作によりドアパネル１２を手前に引くと、スイング支持機構２５（２６）のスイングアーム３６（４３）は実線Ｓ1 で示す開口部ＯＰに重なる平行位置から垂直支軸（回動軸）３８の支点廻りに鎖線で示す位置Ｓ2 ，Ｓ3 ，Ｓ4 を順次経て幅方向に直交する（Ｚ方向）仮想線（４点鎖線）上の位置Ｓ5 まで回動する。
【００６０】
一方、その際にはスイング支持機構２５のスイングアーム３６の回動にスライド支持機構２３（２４）が協働してドアパネル１２を幅方向にスライドさせる。このとき、スライド支持機構２３のガイドスライダ２８は上部ガイドレールとしての吊りレール１７内をガイドローラ２９が転動しつつ案内されるので、ドアパネル１２はスライド支持機構２３のサポート軸（回転軸）３０廻りに図１０において反時計方向にスイング（回動）しつつ幅方向にスライドし、扉枠１１の一方の縦枠１１ｂ側に片寄せされる。すなわち、ドアパネル１２は実線で示すドア閉位置Ｄ1 から鎖線で示す位置Ｄ2 ，Ｄ3 ，Ｄ4 を順次経て仮想線（４点鎖線）で示すドア開位置Ｄ5 に持ち来されてドアが開放される。
【００６１】
このドア開放時のドアパネル１２の戸先側は図１０に示すように室外側が放物線に近似する軌跡を示し、ドアパネル１２の裏側（室内側）は双曲線に近似する軌跡を示す。このため、スライド・スイング式ドア装置１０は、開閉時にドアパネル１２が占有する空間領域をスイング式や回転式ドア装置に比べて小さくすることができる。さらに、ドア開時の有効開口幅は、折り畳み式ドア装置に比べて大きくなる。ドア開放時には、ドアパネル１２が扉枠１１の一方の縦枠１１ｂ側に片寄せされ、縦枠１１ｂの側壁面に接するように平行に置かれるためである。
【００６２】
このスライド・スイング式ドア装置１０において、ドアパネル１２をドア開位置からドア閉位置に持ち来すためには、ドアパネル１２の戸先裏側のノブ操作を行なってドア開放時と逆の操作をすればよい。
【００６３】
また、スライド・スイング式ドア装置１０では、通常時には、ドアパネル１２を閉じた状態で戸先裏側と戸尻表側に戸当り１５，１６が係合するように構成されているので、ドアパネル１２は図１および図１０の奥側（室内側）に開かない構造となっている。通常はドアパネル１２を手前側に引いて開放させるが、ドアパネル１２の戸先側（アーム蝶番と反対側）を奥側に強く押すと、磁石４９により保持されていた戸当り１５，１６が押されて外れ、ドアパネル１２を図１０および図１１に破線で示すように奥側に自由に開放させることができる。
【００６４】
すなわち、ドアパネル１２を奥側に強く押すと、戸当り着脱機構４８の脱着作用により、戸当り１５，１６が扉枠１１の縦枠１１ａ，１１ｂから取り外されるので、ドアパネル１２を奥側にもスムーズに開閉させることができる。
【００６５】
また、スライド・スイング式ドア装置１０は、戸当り１５，１６を図１２および図１３に示すようにセットすることにより、通常時にドアパネル１２を奥側に押して開放させることができる。
【００６６】
すなわち、このスライド・スイング式ドア装置１０において、ドアパネル１２を閉じたとき、ドアパネル１２の戸先表側と戸尻裏側に戸当り１５，１６が当接するように、戸当り着脱機構４８を用いてセットする。
【００６７】
このスライド・スイング式ドア装置１０でドアパネル１２を奥側に開放させる場合には、ドアノブ２０を押圧操作してドアパネル１２を奥側に押圧すると、戸体支持手段１４により支持されているドアパネル１２はスライド支持機構２３，２４とスイング支持機構２５，２６の協働作用により扉枠１１の開口部ＯＰの幅方向にスライドしつつスイング（回動）してドアが開放される。
【００６８】
通常時には、ドアパネル１２を奥側に押圧すると、スライド・スイング式ドア装置１０は、図１２および図１３に示すように、スライド・スイング動作せしめられてドアが開放される。
【００６９】
ドアパネル１２が図１２に実線で示されたドア閉状態からノブ操作によりドアパネル１２を奥側に押圧すると、スイング支持機構２５（２６）のスイングアーム３６（４３）は実線Ｓ1 で示す開口部ＯＰに重なる平行位置（ドア閉位置）Ｓ1 から垂直支軸（回動軸）３８の支点廻りに鎖線で示す位置Ｓ2 ，Ｓ3 ，Ｓ4 を順次経て幅方向に直交する（Ｚ方向）仮想線（４点鎖線）上の位置Ｓ5 まで回動する。
【００７０】
一方、その際にはスイング支持機構２５（２６）のスイングアーム３６の動きにスライド支持機構２３（２４）が協働してドアパネル１２を幅方向にスライドさせる。このとき、スライド支持機構２３のガイドスライダ２８は上部ガイドレールとしての吊りレール１７内をガイドローラ２９が転動しつつ案内されるので、ドアパネル１２はスライド支持機構２３のサポート軸（回転軸）３０廻りを図１２において時計方向にスイング（回動）しつつ幅方向にスライドし、扉枠１１の一方の縦枠１１ｂ側に片寄せされる。すなわち、ドアパネル１２は実線で示すドア閉位置Ｄ1 から鎖線で示す位置Ｄ2 ，Ｄ3 ，Ｄ4 を順次経て仮想線（４点鎖線）で示すドア開位置Ｄ5 に持ち来されてドアが開放される。
【００７１】
このドア開放時のドアパネル１２の戸先側は図１２に示すように室内側が放物線に近似する軌跡を示し、ドアパネル１２の表側（室外側）は双曲線に近似する軌跡を示す。このため、スライド・スイング式ドア装置１０は、開閉時にドアパネル１２が占有する空間領域を円弧領域とする必要がなく、スイング式や回転式ドア装置に比べて小さくすることができる。さらに、ドア開時の有効開口幅は、折り畳み式ドア装置に比べて大きくなる。これはドア開放時にドアパネル１２が扉枠１１の一方の縦枠１１ｂ側に片寄せされ、縦枠１１ｂの側壁面に接するように平行に置かれるためである。
【００７２】
このスライド・スイング式ドア装置１０において、ドアパネル１２をドア開位置からドア閉位置に持ち来すためには、ドアパネル１２の戸先裏側のノブ操作を行なってドア開放時と逆の操作をすればよい。
【００７３】
また、スライド・スイング式ドア装置１０では、通常時には、ドアパネル１２を閉じた状態で戸先表側と戸尻裏側に戸当り１５，１６が係合するように構成されているので、ドアパネル１２は図１２および図１３の手前側（室外側）に開かない構造となっている。通常はドアパネル１２を奥側に押圧して開放させるが、ドアパネル１２を手前側に強く引いたり、ドアパネル１２の戸先側戸当り１６を扉枠１１の縦枠１１ａから取り外して手前側に引くと、磁石４９により保持されていた戸当り１５，１６が取り外され、ドアパネル１２を手前側に、図１２および図１３に破線で示すようにドアを開放させることができる。
【００７４】
本実施形態のスライド・スイング式ドア装置１０は、戸体支持手段１４としての上部スイング支持機構２５を上部ガイドレール１７の直下に設置し、上部スイング支持機構２５のスイングアーム３６の回動が上部ガイドレール１７やドアパネル１２の頂部と干渉しないように配置したので、戸当り１５，１６を扉枠１１の縦枠１１ａ，１１ｂから取り外すと、ドアパネル１２は手前側および奥側の両方向に自由に開放させることができる。
【００７５】
その上、スライド・スイング式ドア装置１０では、通常使用時には、戸当り１５，１６によってドア開閉方向が規制され、一方向に開閉されるが、万一扉の開閉時に、ドアパネル１２の戸尻側が移動する室内側で人が倒れ、倒れた人が障害物となってドアパネル１２が開かなくなる虞があるが、第１実施形態では戸当り１５，１６は戸当り着脱機構４８で扉枠１１の縦枠１１ａ，１１ｂに着脱自在に取り付けられ、戸当り１５，１６をドアパネル１２を介して強く押圧すると扉枠１１から取り外すことができる。このため、室外側からドアパネル１２を開けて倒れた人を救出できる。さらに、戸当り１５，１６とドアパネル１２との間で指を挟んだ時にも、戸当り１５，１６が押されて外れるので、怪我をせず安全性の高いドア装置となる。
【００７６】
加えて、スイング支持機構２５のスイングアーム３６の基端の回転軸（垂直支軸）３８を吊りレール１７の略中心真下に設けた、いわゆるオフセット・レス構造としたことで、戸当り１５，１６が取り付けられていない状態ではドアパネル１２が手前と奥の両方向に開閉可能となり、戸当り１５，１６を着脱可能な構造にしたことで、その派生効果として、戸当り１５，１６が予め取付位置が決められた固定式のドア装置だとドアパネルの開閉方向が一方向に決められてしまい、１つのドア装置で右開き、左開きが兼用できない。したがって、ドア装置を商品として品揃えする時、右仕様、左仕様の２種類を個別に揃えなければならないといった問題がある。この実施形態では、戸当り１５，１６の取付場所を取付施工時に選択でき、１つのドア装置１０で扉の右開き、左開きのどちらにも兼用できるスライド・スイング式ドア装置１０を提供できる。
【００７７】
戸体としてのドアパネル１２を手前側に引いて開放させる場合と、奥側に押して開放させる場合では、図１０および図１２に示すようにドア開閉時にドアパネル１２が描く軌跡が室外側（手前側）と室内側（奥側）とで異なる。このため、建物に形成される部屋（例えば風呂場やシャワー室、サウナ室、トイレ等を含む）の形状や用途、使用目的、周囲環境に応じてドアパネル１２を室外側あるいは室内側に開閉させるか、自由に設計でき、設計の自由度が向上する。
【００７８】
さらに、このスライド・スイング式ドア装置１０はドアパネル１２のパネル幅方向に戸先側から略１／３の位置をスライド支持機構２３で支持し、戸尻側から略１／３の位置をスイング支持機構２５で支持し、スイング支持機構２５のスイングアーム３６，４３が上部ガイドレール１７や下部ガイドレール１８と干渉しないように配設したので、スイング支持機構２５，２６を左右対称形をなす扉枠１１の左右縦枠１１ａ，１１ｂ側の一方に自由に取り付けることができる。スイング支持機構２５，２６を扉枠１１の左右いずれかの縦枠１１ａ，１１ｂ側に取り付けた場合には、ドアパネル１２を右開きあるいは左開きとすることを自由に選択できる。スイング支持機構２５，２６を扉枠１１の左右いずれか一方の縦枠１１ａ，１１ｂを選択して取り付けることにより、１つのドアが右開き、左開きのどちらにも兼用させることが可能となり、ドアパネル１２の取付自由度をより一層向上させることができる。
【００７９】
また、本実施形態のスライド・スイング式ドア装置１０においては、戸当り着脱機構４８で戸当り１５，１６を扉枠１１の縦枠１１ａ，１１ｂ内側壁に自由に脱着させることができる脱着構造としたから、スライド・スイング式ドア装置１０を建物に組み付け、取付を完了した後に、戸当り１５，１６の取付場所を選択することができる。すなわち、ドア装置１０の取付施工時にドアパネル１２を右開きとするか、左開きとするか選択することができる。さらに、戸体としてのドアパネル１２の開閉方向を手前側とするか奥側とするかの選択も戸当り１５，１６を扉枠１１の縦枠室外側に取り付けるか、縦枠室内側に取り付けるか選択することにより自由に選択することができるので、ドフパネル１２の開閉自由度を大きくもつことができる。
【００８０】
さらに、扉枠１１に戸体支持手段１４を介して支持される戸体としてのドアパネル１２は、戸体支持手段１４の上部スライド支持機構２３および上部スンイグ支持機構２５により、ドアパネルのパネル幅方向に位置バランスさせて全荷重を支持させたから、ドアパネル１２の全荷重を上部スライド支持機構２３と上部スイング支持機構２５に安定的に受け持つことができる。
【００８１】
加えて、スイングアームは「オフセット・レス」構造に拠って取り付けられているから、ドア全体の厚さ方向のサイズもコンパクトになる。また、この「オフセット・レス」構造に拠って、ドアパネルがその厚さ方向の中心位置でスイングアームにより支持されるので、ドアパネルの板面に直交する方向への捩れや傾きに起因してスイングアームに掛かる力は著しく少なくなる。したがって、スイングアームの耐久性を向上させ、長期使用時におけるドア装置の信頼性も向上する。
【００８２】
また、スライド・スイング式ドア装置１０の一実施形態では、上部スイング支持機構２５のスイングアーム３６をコ字状アーム支持具３７で扉枠１１の縦枠１１ｂに取り付けた例を示したが、アーム支持具３７の形状は種々考えられる。アーム支持具３７Ａは図１４に示すように構成してもよい。アーム支持具３７Ａは縦枠１１ｂに支持ベース５２を埋設して固定し、このペース５２から突出する突出脚（支持部）５３にアーム支持具３７Ａを回動自在に支持させたものである。その際、アーム支持具３７Ａのアーム基部を図１４に示すようにコ字状あるいは二又状に形成しても、またＬ字状に形成してもよい。
【００８３】
第２の実施形態
本発明に係るスライド・スイング式ドア装置の第２実施形態を図１５および図１６を参照して説明する。
【００８４】
この実施形態に示されたスライド・スイング式ドア装置１０Ａの全体的な構成は図１および図２に示すものと、戸当り着脱機構５５を除いて異ならないので、同一符号を付して説明を省略する。
【００８５】
第２実施形態に示されたスライド・スイング式ドア装置１０Ａは、戸当り５６を扉枠１１の左右の縦枠１１ａ，１１ｂの戸当り着脱機構５５で着脱自在に取り付けたものである。この戸当り着脱機構５５は、細長い角棒状の戸当り５６の裏面側にスプリング材やゴム等の弾性材料で形成された係止具５７を軸方向に離間させて複数個取り付ける。係止具５７は戸当り５６の上部および下部に、好ましくは戸当り５６の上部、下部およびその中間部の少なくとも３箇所に設ける。
【００８６】
係止具５７は対をなす係止片としてのフック片５８と、対をなすフック片５８を弾性保持するジグザグ状あるいは波状クッション部５９と、両クッション部５９を連接する取付基部６０とから横断面変形コ字状に一体成形される。係止具５７は戸当り５６の裏面側に形成された取付凹部６１に嵌挿され、取付ねじ等の取着手段で固定される。係止具５７のフック片５８は戸当り５６の裏面側より所要量突出し、扉枠１１の縦枠１１ａ，１１ｂに埋設された受具６３に着脱可能に係合して係止されるようになっている。この受具６３と係止具５７から戸当り着脱機構５５が構成される。
【００８７】
扉枠１１の縦枠１１ａ，１１ｂに埋設される受具６３は縦枠１１ａ，１１ｂの長手方向に所定の間隔をおいて列状に、かつ図１６に示すようにドアパネル１２の閉塞時にドアパネル１２の各表裏面と片当り可能に２列設けられる。
【００８８】
受具６３は扉枠１１の縦枠１１ａ（１１ｂ）の内側壁に形成される係合凹部６５に埋設され、取付ねじ等の取付手段で固定される。受具６３は横断面が変形Ｃ字状に形成され、係止具５７のフック片５８を出し入れする開口部６６の両側に形成される係止片６７に掛け止めして取り付けるようになっている。受具６３の係止片６７は扉枠１１の縦枠１１ａ，１１ｂの内側壁面と略面一に設けられ、開口部６６から挿入された係止具５７のフック片５８と係合し、係止具５７を受具６３に保持させるようになっている。
【００８９】
係止具５７を受具６３に掛け止めし、保持させることにより、戸当り５６は扉枠１１の縦枠１１ａ，１１ｂに着脱可能に取り付けられ、固定保持される。戸当り５６を縦枠１１ａ，１１ｂに取り付けた状態で、係止具５７の対をなすフック片５８の一方にドライバ６８等の工具がアクセスできるように、戸当り５６にアクセス溝６９が形成される。このアクセス溝６９を通じてドアパネル１２の閉塞時にもドアパネル１２と縦枠１１ａ（１１ｂ）の間の隙間からドライバ６８等の工具を挿入し、工具先端で一方のフック片５８を押圧し、フック片５８と受具６３の係止片６７との係合状態を解除させることができる。これにより、戸当り５６の係止具５７を受具６３から取り外すことができ、戸当り５６を扉枠１１の縦枠１１ａ（１１ｂ）から取り外すことができる。
【００９０】
戸当り５６はドアパネル１２を閉じたとき、ドアパネル１２の戸先側縦枠１１ａと戸尻側縦枠１１ｂに戸当り着脱機構５５に着脱可能に取り付けられ、ドアパネル１２を手前側に開放させたり、あるいは奥側に開放させ得るようになっている。戸当り５６を戸先側縦枠１１ａや戸尻側縦枠１１ｂに取り付けたとき、戸当り５６の係止具５７にアクセスするアクセス溝６９が室外側を向くようにセットされる。
【００９１】
第２実施形態に示されるスライド・スイング式ドア装置１０Ａにおいては、ドライバ６８等の工具を挿入することにより戸当り５６の係止具５７を受具６３から取り外すことが容易にできる。係止具５７を受具６３から取り外すことにより、戸当り５６を扉枠１１の縦枠１１ａ（１１ｂ）から取り外すことができる。戸当り５６を取り外すことにより、通常手前側に引いてドアパネル１２を開放させていたドア装置１０Ａでは、ドアパネル１２を奥側に押しても開放させることができる。また、ドアパネル１２を奥側に押して開放させていたドア装置１０Ａにおいては、ドアパネル１２を手前側に引くことによっても開放させることができる。
【００９２】
このようにドアパネル１２の戸先側・戸尻側戸当り５６をドライバ６９等の工具で係止具５７の係止片５８の一片を押して、係止具５７を受具６３から外すことができるので、通常時とは反対方向にドアパネル１２を開放させることができ、室外側から扉を開けて倒れた人を救出できる。
【００９３】
なお、本発明の第２実施形態に係るスライド・スイング式ドア装置１０Ａでは、係止具５７と受具６３で構成された戸当り着脱機構５５により戸当り５６を着脱自在に設け、係止具５７を戸当り５６側に、受具６３を扉枠１１の縦枠１１ａ（１１ｂ）側に設けた例を説明したが、係止具５６を扉枠１１の縦枠１１ａ（１１ｂ）側に、受具６３を戸当り５６側に設けてもよい。この場合にも、ドライバ６８等の工具のアクセス通路が適宜確保される。
【００９４】
さらに、戸当り着脱機構５５を構成する係止具５７と受具６３は種々の形状・構造を有するものが考えられる。例えば受具にカギ穴を形成し、このカギ穴に係止具のフック片を掛け止めして係合させ、係止させてもよく、さらに係止具と受具に磁石と磁性金属材料を適宜組み合せて用いてもよい。
【００９５】
第３の実施形態
図１７は本発明に係るスライド・スイング式ドア装置の第３実施形態を示す平面図である。
【００９６】
この実施形態に示されたスライド・スイング式ドア装置１０Ｂの全体的な構成は図１および図２に示すものと異ならないので、同じ符号を付して説明を省略する。
【００９７】
この実施形態に示されたスライド・スイング式ドア装置１０Ｂは、戸体としての１枚のドアパネル１２の両側端部にゴムやプラスチック等の弾性変形樹脂材料で形成された軟質材７０を取り付けたものである。軟質材７０はドアパネル１２の両側端部にその長手方向全長に亘って取り付けられる。軟質材７０の取付幅（開口部ＯＰ幅方向の長さ）は扉枠１１の縦枠１１ａ，１１ｂ内側面から突出する戸当り１５，１６の突出量より大きい。この場合、戸当り１５，１６は戸当り着脱機構で着脱自在に取り付けても、従来の取付手段により固定させてもよい。
【００９８】
このスライド・スイング式ドア装置１０Ｂはドアパネル１２を実線矢印Ａの方向に力を加えることにより開放される。このドアパネル１２を破線矢印Ｂで示す逆方向に開放させようとすると、軟質材７０が戸当り１５，１６に押されて弾性変形する。軟質材７０を弾性変形させた状態で、ドアパネル１２をさらに強く押圧あるいは引っ張ると、ドアパネル１２は戸当り１５，１６を乗り超えて移動し、逆方向に開放させることができる。
【００９９】
第４の実施形態
図１８は本発明に係るスライド・スイング式ドア装置の第４実施形態を示す平面図である。
【０１００】
この実施形態に示されたスライド・スイング式ドア装置１０Ｃの全体的な構成は、図１および図２に示すものと異ならないので、同じ符号を付して説明を省略する。
【０１０１】
この実施形態に示されたスライド・スイング式ドア装置１０Ｃは、扉枠１１の左右両側の縦枠１１ａ，１１ｂにゴム・プラスチック等の弾性変形樹脂材料で形成された軟質材製の戸当り７１を取り付けたものである。この戸当り７１は細長い角筒状あるいは角棒状で弾性変形可能に形成されるが、戸当りの断面形状は種々考えられる。
【０１０２】
このスライド・スイング式ドア装置１０Ｃにおいては、ドアパネル１２を実線矢印Ａの方向に力を加えることにより開放される。このドアパネル１２を破線矢印Ｂで示す逆方向に開けようとすると、戸当り７１がドアパネル１２の戸先側および戸尻側端部に押されて弾性変形する。戸当り７１の弾性変形時にさらにドアパネル１２を強く押圧あるいは引っ張ると、ドアパネル１２は戸当り７１を乗り超えて移動し、逆向きにドアを開放させることができる。
【０１０３】
第５の実施形態
図１９は本発明に係るスライド・スイング式ドア装置の第５実施形態を示す平面図である。
【０１０４】
この実施形態に示されたスライド・スイング式ドア装置１０Ｄの全体的な構成は、図１および図２に示すものと異ならないので、同じ符号を付して説明を省略する。このスライド・スイング式ドア装置１０Ｄは第３実施形態と第４実施形態に示されたドア装置を組み合せたものである。
【０１０５】
第５実施形態に示されたスライド・スイング式ドア装置１０Ｄは、軟質材製の戸当り７１を扉枠１１の左右両側の縦枠１１ａに取り付け、ドアパネル１２の戸尻側端部に軟質材７０を取り付けたものである。
【０１０６】
このスライド・スイング式ドア装置１０Ｄにおいては、ドアパネル１２は通常実線矢印Ａの方向に力を加えることにより開放される。また、ドアパネル１２は破線矢印Ｂで示す逆方向に開けようとすると、戸先側の軟質材製戸当り７１がドアパネル１２に押されて変形し、また戸尻側の軟質材７０は戸当り１５に押されて変形する。すなわち、ドアパネル１２の軟質材７０や軟質材製戸当り７１が弾性変形するので、この弾性変形させた状態でドアパネル１２をさらに強く押圧あるいは引っ張ると、ドアパネル１２は戸当り１５，７１を乗り超えて移動し、逆向きにドアを開放させることができる。
【０１０７】
第３実施形態から第５実施形態に示されたスライド・スイング式ドア装置においては、戸体であるドアパネル１２を逆方向に強く開けようとすると、ドアパネル１２の両側端部が戸当り１５，１６を乗り超えるので逆方向にドアパネル１２を開放させることができ、室外側から扉を開けて倒れた人を救出できる。さらに、ドアパネル１２の側端部または戸当り７１を軟質材としたことで、ドアパネル１２の側端部と戸当り７１との間で指を挟んでも、軟質材が変形して緩衝し、怪我をせず安全性の高いドア装置となる。
【０１０８】
第６の実施形態
図２０は、本発明に係るスライド・スイング式ドア装置の第６実施形態を示す平面図である。ドア装置１０Ｅは戸体としての１枚のドアパネル１２の戸尻側戸当り１５が扉枠１１の縦枠１１ｂの室外側に取り付けられた例を示すものである。
【０１０９】
この実施形態に示されたスライド・スイング式ドア装置１０Ｅは、軟質材製の戸当り７１を扉枠１１の戸先側縦枠１１ａに取り付け、戸尻側には、従来の固定式戸当りあるいは戸当り着脱機構により着脱自在に取り付けられた戸当り１５を取り付ける。
【０１１０】
このスライド・スイング式ドア装置１０Ｅでは、通常ドアパネル１２を実線矢印Ａで示す室外側に引っ張りあるいは押圧することによりドアが開放される。このドアパネル１２を破線矢印Ｂで示す逆方向に開けようとすると、ドアパネル１２の戸先側が軟質材製の戸当り７１に、パネル戸尻側が室外側の戸当り１５に当接し、ドアの開放が阻害される。
【０１１１】
しかし、この場合、ドアパネル１２の戸尻側戸当り１５は室外側に露出しているので、固定手段を取り除き、室外側の戸当り１５を容易に取り外すことができる。室外側に露出する戸尻側戸当り１５を取り外すと、戸先側戸当り７１は軟質材で形成されているので、この戸当り７１はドアパネル１２の戸先側端部に押されて弾性変形する。戸先側戸当り７１の弾性変形時にさらにドアパネル１２を逆方向に強く押圧あるいは引っ張ると、ドアパネル１２は戸先側戸当り７１を乗り超えて移動し、ドアパネル１２を逆向きに開放させることができる。
【０１１２】
さらに、ドアパネル１２の戸先側の戸当り７１を軟質材としたことで、ドアパネル１２の戸先側端部と戸当り７１との間で指を挟んでも、軟質材が変形して緩衝するので、怪我をせず安全な構造となる。
【０１１３】
なお、第３実施形態から第６実施形態に示されたスライド・スイング式ドア装置においては、ドアパネル１２の側端部あるいは戸当り７１に軟質材を用いた例を説明したが、ドアパネル１２の戸先側および戸尻側端部に軟質材７０を取り付けるとともに、ドアパネルに当接（片当り）する戸当り７１にも軟質材を用いてもよい。この場合には、軟質材に比較的剛性の高い弾性変形材料を用いることができ、かつドアパネル１２を通常の開閉方向と逆方向に開ける場合にも、ドアパネル１２の軟質材７０および戸当り７１の弾性変形量を小さくすることができるので、ドア装置の長寿命化を図ることができる等のメリットがある。
【０１１４】
なお、本発明の実施形態の説明においては、本発明をスライド・スイング式ドア装置に適用した例を示したが、本発明は、スライド・スイング式ドア装置に限定されず、一般の蝶番を用いたドア装置や他のタイプのドア装置や門扉にも適用することができる。
【０１１５】
【発明の効果】
本発明に係る開閉装置においては、通常時には戸体の開閉方向が戸当りにより規制され、戸体を手前側あるいは奥側に開閉させることができる一方、通常時の開閉方向と反対側に戸体を強制的に開放可能に取り付けたので、戸体の戸尻側が移動する室内側で人が倒れ、倒れた人が障害物となる場合にも、戸体を反対側に強制的に開放させることができるので、室外側から戸体を開けて倒れた人を救出でき、緊急時や救出時に適した開閉装置を提供できる。
【０１１６】
また、戸当りは扉枠の開口部側壁に戸当り着脱機構により着脱自在に取り付け、容易に取り外すことができるので、戸当りと戸体との間に万一指を挟むことがあっても、戸当りが押されて外れ、指等の損傷を未然にかつ有効的に防止でき、怪我をさせない安全な開閉装置を提供することができる。
【０１１７】
さらに、扉枠に戸体を支持する戸体支持手段はスライド支持機構とスイング支持機構とから構成し、スライド支持機構のガイドレールの内側にスイング支持機構のスイングアームを非干渉的に配設したので、戸体が手前側と奥側の両方向に開閉可能となり、戸当りの取付場所を取付施工時に選択することにより、扉を右開きあるいは左開きに兼用させることができ、右開き用ドア装置や左開き用ドア装置を個別に製作する必要がなく、部品の共通化が図れ、経済的なメリットが大きい。
【０１１８】
さらにまた、戸体の戸先側または戸尻側端部に弾性変形可能な軟質材を設けたり、戸当りを弾性変形可能な軟質材で形成したり、さらに、軟質材製の戸当りと戸体の側端部に設けられた軟質材とを組み合せることにより、戸体を通常の開閉方向と逆方向に強制的に開閉させることができる。この場合、戸体の軟質材や戸当りが弾性変形し、戸体の側端部が戸当りを乗り超えて移動されるので、室外側から戸体を開放させて倒れた人の救出に利便性を図ることができる一方、戸体の側端部と戸当りの間に指を挟んでも、軟質材が変形して緩衝するので、怪我をせず安全な開閉装置を提供できる。
【０１１９】
さらに、戸体の戸尻側戸当りを室外側に露出させ、戸先側戸当りを軟質材で形成した場合には、通常の開閉方向とは別に戸尻側の戸当りを取り除くことで、戸体を逆方向に開けようとすると、戸体の戸先側が軟質材製の戸当りを弾性変形させ、この戸当りを乗り超えて移動させることができるので、逆向きにも戸体を開放させることができる。一方、戸体の戸先側と戸当りの間に指を挟んでも、軟質材製の戸当りが変形して緩衝するので、怪我をせず、安全性の高い開閉装置となる。
【図面の簡単な説明】
【図１】本発明に係る開閉装置の第１実施形態を示す斜視図。
【図２】本発明に係る開閉装置の第１実施形態を示す正面図。
【図３】本発明に係る開閉装置の第１実施形態を示すもので、戸体としてのドアパネルをスライド・スイング自在に支持する戸体支持手段を示す斜視図。
【図４】図３に示された戸体支持手段に備えられる上部スイング支持機構を示す斜視図。
【図５】図２に示された開閉装置の作動状態を示す平面図。
【図６】図５に示された下部スイング支持機構の作動状態を示す平面図。
【図７】図２の VII−VII 線に沿う平断面図。
【図８】図２に示された扉枠に着脱可能に取り付けられる戸当りの斜視図。
【図９】本発明に係る開閉装置の扉枠に埋設される戸当り着脱機構の磁性金属片（あるいは磁石）の配列例を示す図。
【図１０】本発明に係る開閉装置を手前側に開放させる場合の戸体（ドアパネル）の開閉軌跡を説明する平面図。
【図１１】図１０に対応させて開閉装置を開放させる場合の戸体支持手段の連係動作を説明する斜視図。
【図１２】本発明に係る開閉装置を奥側に開放させる場合の戸体の開閉軌跡を説明する平面図。
【図１３】図１２に対応させて開閉装置を開放させる場合の戸体支持手段の連係動作を説明する斜視図。
【図１４】本発明に係る開閉装置を備える上部スイング支持機構の変形例を示す斜視図。
【図１５】本発明に係る開閉装置の第２実施形態を示すもので、扉枠への戸当りを取り付ける戸当り着脱機構の分解斜視図。
【図１６】図１５に示された戸当り着脱機構を用いて戸当りを扉枠に取り付けた状態を示す平断面図。
【図１７】本発明に係る開閉装置の第３実施形態を示す略示的な平断面図。
【図１８】本発明に係る開閉装置の第４実施形態を示す略示的な平断面図。
【図１９】本発明に係る開閉装置の第５実施形態を示す略示的な平断面図。
【図２０】本発明に係る開閉装置の第６実施形態を示す略示的な平断面図。
【符号の説明】
１０，１０Ａ，１０Ｂ，１０Ｃ，１０Ｄ，１０Ｅ  スライド・スイング式ドア装置（開閉装置）
１１  扉枠
１１ａ，１１ｂ  縦枠（側枠）
１１ｃ  頂部（上部枠）
１２  ドアパネル（戸体，扉）
１４  戸体支持手段
１５，１６  戸当り
１７  吊りレール（上部ガイドレール）
１８  下部ガイドレール
２０  ドアノブ
２１  手動ロック機構
２３，２４  スライド支持機構
２５，２６  スイング支持機構
２８  ガイドスライダ
２９  ガイドローラ
３０  サポート軸
３１，３２  ガイド溝
３３  ガイドローラ
３４  ガイド軸
３６  スイングアーム（支持アーム）
３７，３７Ａ  アーム支持具
３８  垂直支軸
３９  取付ブラケット
４０  支持軸
４３  スイングアーム
４４  垂直支軸
４５  支軸
４８  戸当り着脱機構
４９  磁石
５０  磁性金属片
５２  支持ベース
５３  支持脚（支持部）
５５  戸当り着脱機構
５６  戸当り
５７  係止具
５８  フック片（係止片）
５９  クッション部
６０  取付基部
６１  取付凹部
６３  受具
６５  係合凹部
６６  開口部
６７  係止片
６８  ドライバ（工具）
６９  アクセス溝
７０  軟質材
７１  戸当り
【図１】
0003781894.tif 000002
【図２】
0003781894.tif 000003
【図３】
0003781894.tif 000004
【図４】
0003781894.tif 000005
【図５】
0003781894.tif 000006
【図６】
0003781894.tif 000007
【図７】
0003781894.tif 000008
【図８】
0003781894.tif 000009
【図９】
0003781894.tif 000010
【図１０】
0003781894.tif 000011
【図１１】
0003781894.tif 000012
【図１２】
0003781894.tif 000013
【図１３】
0003781894.tif 000014
【図１４】
0003781894.tif 000015
【図１５】
0003781894.tif 000016
【図１６】
0003781894.tif 000017
【図１７】
0003781894.tif 000018
【図１８】
0003781894.tif 000019
【図１９】
0003781894.tif 000020
【図２０】
0003781894.tif 000021